(57)【要約】【課題】長時間の筆記による疲労の軽減を図ると共に、通常の筆記が困難な人の筆記を補助することができ、且つ、使いやすく、収納時に嵩張ることのない筆記用補助具を提供する。【解決手段】筆記用補助具１は、筆記具２の外周部を長手方向所定幅で包持して圧接挟持自在の筆記具挟持体３と、筆記具挟持体３外周部に回転自在に固着され、且つ、人の指を挟持自在の指挟持体４とを備えている。指挟持体４は、先端部が筆記具２を押圧するように構成された弾性体からなる押圧板５を介して筆記具挟持体３に固着され、押圧板５は筆記具挟持体３に軸支体７を介して回転自在に固着されている。指挟持体４は、押圧板５の後端に屈曲自在の薄肉部６を介して起伏自在に固着されている。【選択図】図１
0003147361.tif 000002
【実用新案登録請求の範囲】
【請求項１】
筆記具の外周部を長手方向所定幅で包持して圧接挟持自在の筆記具挟持体と、前記筆記具挟持体外周部に回転自在に固着され、且つ、人の指を挟持自在の指挟持体とを備えたことを特徴とする筆記用補助具。
【請求項２】
前記指挟持体は、起伏自在に固着されることを特徴とする請求項１記載の筆記用補助具。
【請求項３】
前記指挟持体の起立時に前記指挟持体を起立状態に保持自在の係止体を設けたことを特徴とする請求項２記載の筆記用補助具。
【請求項４】
前記指挟持体は、先端部が筆記具を押圧するように構成された押圧板を介して前記筆記具挟持体に固着され、前記押圧板は前記筆記具挟持体に回転自在に固着されていることを特徴とする請求項１乃至３のうちいずれか一に記載の筆記用補助具。
【請求項５】
前記指挟持体は、前記押圧板の後端に屈曲自在の薄肉部を介して起伏自在に固着されることを特徴とする請求項４記載の筆記用補助具。
【請求項６】
前記指挟持体は、倒伏時に前記筆記具挟持体又は前記筆記具を圧接挟持する状態で格納されることを特徴とする請求項２乃至５のうちいずれか一に記載の筆記用補助具。
【考案の詳細な説明】
【技術分野】
【０００１】
本考案は、長時間の筆記による疲労の軽減及び通常の筆記が困難な人の筆記を補助する筆記用補助具に関する。
【背景技術】
【０００２】
従来、筆記の際は、概ね人差し指と中指と親指とで、筆記具を握りしめて筆記したため、筆記が長時間に及ぶ場合、握力疲労が著しく、更なる筆記を困難にしていた。
又、通常、握力が弱い人や、指の部位が麻痺したり、指を欠損した人の場合は、筆記具を握りしめることが困難であり、筆記ができないという問題があった。
【０００３】
この種技術の先行文献としては、例えば、特許文献１があり、特許文献１には、湾曲状に形成された筆記具等の軸保持部と、湾曲状に形成された指保持部を設けた一体型の筆記具の軸保持補助具が記載されている。
【特許文献１】特開２００１−２６０５９２号公報
【考案の開示】
【考案が解決しようとする課題】
【０００４】
前述したように、長時間に及ぶ筆記は、握力疲労が著しく、更なる筆記が困難であり、又、通常、握力の弱い人や、指の部位が麻痺したり、指を欠損した人の場合は、筆記具を握りしめることが困難であるという問題があった。
【０００５】
特許文献１の場合、握力疲労を軽減することができ、又、握力の弱い人の筆記を補助することができる利点があるが、指の向きが固定されるため、指の向きが合わない場合が発生し、使いづらい、又は、使えないという問題が発生する。
更に、筆記具に装着した状態では、軸保持補助具が嵩張り、筆箱等に収納し難いという問題がある。
【０００６】
以上の現状に鑑み、本考案は、長時間の筆記による疲労の軽減を図ると共に、通常の筆記が困難な人の筆記を補助することができ、且つ、使いやすく、収納時に嵩張ることのない筆記用補助具を提供することを目的とする。
【課題を解決するための手段】
【０００７】
上記の課題を解決すべく、本考案は以下の構成を提供する。
請求項１に係る考案は、筆記具の外周部を長手方向所定幅で包持して圧接挟持自在の筆記具挟持体と、前記筆記具挟持体外周部に回転自在に固着され、且つ、人の指を挟持自在の指挟持体とを備えたことを特徴とする筆記用補助具を提供するものである。
【０００８】
請求項２に係る考案は、前記指挟持体は、起伏自在に固着されることを特徴とする請求項１記載の筆記用補助具を提供するものである。
【０００９】
請求項３に係る考案は、前記指挟持体の起立時に前記指挟持体を起立状態に保持自在の係止体を設けたことを特徴とする請求項２記載の筆記用補助具を提供するものである。
【００１０】
請求項４に係る考案は、前記指挟持体は、先端部が筆記具を押圧するように構成された押圧板を介して前記筆記具挟持体に固着され、前記押圧板は前記筆記具挟持体に回転自在に固着されていることを特徴とする請求項１乃至３のうちいずれか一に記載の筆記用補助具を提供するものである。
【００１１】
請求項５に係る考案は、前記指挟持体は、前記押圧板の後端に屈曲自在の薄肉部を介して起伏自在に固着されることを特徴とする請求項４記載の筆記用補助具を提供するものである。
【００１２】
請求項６に係る考案は、前記指挟持体は、倒伏時に前記筆記具挟持体又は前記筆記具を圧接挟持する状態で格納されることを特徴とする請求項２乃至５のうちいずれか一に記載の筆記用補助具を提供するものである。
【考案の効果】
【００１３】
本考案の請求項１記載の考案によれば、長時間の筆記による疲労の軽減を図ると共に、通常の筆記が困難な人の筆記を補助することができ、且つ、使いやすい筆記用補助具を提供することができる。
【００１４】
請求項２記載の考案によれば、請求項１記載の考案の効果に加え、収納時に嵩張ることのない筆記用補助具を提供することができる。
【００１５】
請求項３記載の考案によれば、請求項２記載の考案の効果に加え、指挟持体を起立状態に保持し、指を挿入し易くすることができる。
【００１６】
請求項４記載の考案によれば、請求項１乃至３のうちいずれか一に記載の考案の効果に加え、押圧板により、筆記具挟持体の挟持状態を安定させることができ、更に、指挟持体の筆記具先端側への倒伏を防止することができる。
【００１７】
請求項５記載の考案によれば、請求項４記載の考案の効果に加え、薄肉部が蝶番の機能を有し、指挟持体が起伏自在となると共に、押圧板と指挟持体とを一体で形成することが可能になる。
【００１８】
請求項６記載の考案によれば、請求項２乃至５のうちいずれか一に記載の考案の効果に加え、指挟持体は、倒伏時に、嵩張ることなく、安定に保持された格納状態が得られる。
【考案を実施するための最良の形態】
【００１９】
以下、実施例を示した図面を参照しつつ本考案の実施の形態を説明する。
図１に於いて、１は、本考案の筆記用補助具であり、筆記用補助具１は、筆記具２の外周部を長手方向所定幅で包持して圧接挟持自在の弾性体からなる筆記具挟持体３と、筆記具挟持体３外周部に回転自在に固着され、且つ、人の指を挟持自在の弾性体から成る指挟持体４とを備えている。
【００２０】
前記指挟持体４は、先端部が筆記具２を押圧するように構成された弾性体からなる押圧板５を介して筆記具挟持体３に固着され、押圧板５は、押圧板５と筆記具挟持体３とを貫通して設けられる軸支体７を介して筆記具挟持体３に回転自在に固着されている。
尚、前記指挟持体４は、押圧板５を介することなく、筆記具挟持体３に直接回転自在に固着されても良い。
【００２１】
又、前記押圧板５は軸支体７に遊嵌されて回転自在に設けられており、前記軸支体７は、金属、プラスチック等で形成されたものであるが、押圧板５又は指挟持体４を突設させた突設体を形成して、前記軸支体７の機能をもたせても良い。
【００２２】
そして、指挟持体４は、図１（ｄ）に示す如く、押圧板５の後端に屈曲自在の薄肉部６を介して起伏自在に固着され、指挟持体４は、矢印の如く、右側に倒れ、左側へは倒れない構成となっている。前記薄肉部６は、例えば、指挟持体４及び押圧板５を一体で作成し、指挟持体４と押圧板５との境目部分に於いて、下方から上方に向かってカットして切れ目を入れ、上面近傍を薄皮の如く残して薄肉部６を形成しても良く、或いは、指挟持体４及び押圧板５を個別に作成し、指挟持体４と押圧板５とを、それらの上面側に屈曲自在のシートを貼り付けて結合しても良い。或いは、前記シートの裏面側と、指挟持体４と押圧板５の互いに隣接する端面に更にシートを貼り付けると強固な接続が可能である。
【００２３】
図２は、指挟持体４及び押圧板５を一体で作成した場合に於ける、指挟持体４及び押圧板５の成形方法の説明図である。
まず、図２（ａ）に示す如く、一体に形成された指挟持体４と押圧板５との間の境目に下方から上方に向かってカットして図示波線の如く切れ目を入れ、上面近傍を薄皮の如く残して薄肉部６を形成する。
その状態で指挟持体４を薄肉部６を支点として１８０度回転させると、図２（ｂ）に示す如く、指挟持体４が押圧板５上に積層された状態となり、次に、図２（ｂ）右図の如く矢印側に指挟持体４の両端を上方内側に曲げると図２（ｃ）に示すごとく指挟持体４が上方に湾曲して、断面視馬蹄形状に成形される。
この状態で、指挟持体４を熱処理して成形された形状を安定させる。
尚、指挟持体４及び押圧板５を一体で作成する場合、一体成形時に図２（ｃ）に示す形状に成形しても良い。
【００２４】
而して、前記筆記用補助具１を使用する場合は、図１に示す如く、筆記具挟持体３に筆記具２の所定位置を挟持させ、指挟持体４を起立させた状態で図３に示す如く人の人指し指８を指挟持体４に挿入すると、所定の挿入位置で人指し指８が挟持され、この状態で筆記具挟持体３及び筆記具２を親指９、中指１０、人指し指８で保持すると、筆記具２が筆記できる状態に保持される。
【００２５】
図４は、前記押圧板５と指挟持体４とが、筆記具挟持体３に対して軸支体７を支点として回転できる状態を示しており、これにより、使用者は、人指し指８の角度を任意に設定することができる。
又、前記押圧板５と指挟持体４とが、筆記具挟持体３に対して回転できることにより、例えば、人指し指８以外の指を指挟持体４で挟持させることも可能となり、人指し指８が疲れた場合や、人差し指に障害がある場合、人差し指が欠損している場合等に対応することが可能になる。
【００２６】
図５は、前記筆記用補助具１の指挟持体４を起立状態から倒伏状態に格納する手順を示したものであり、同図（ａ）に示す如く起立状態の指挟持体４を指等で矢印の如く図に於いて右側に倒せば、同図（ｃ）に示す如く指挟持体４の先端は筆記具２に当接したのち、先端が開かれ、筆記具２を圧接挟持しながら更に筆記具挟持体３を圧接挟持し、同図（ｄ）に示す如く指挟持体４が筆記具２の軸方向と直角位置になった時点で停止する。
この状態で、指挟持体４は、筆記具挟持体３を圧接挟持することにより、安定的に保持され格納される。又、指挟持体４が嵩張ることがない。
【００２７】
図６は、前記指挟持体４を起立状態に保持自在に係止する係止体２１を設けた場合の指挟持体４と係止体２１の動作説明図であり、係止体２１は、押圧板５から起立する起立部２１ａと、起立部２１ａの先端に於いて指挟持体４側に突設する突設部２１ｂとから形成され、起立部２１ａは弾性体で形成されている。
【００２８】
而して、同図（ａ）の如く、指挟持体４が起立し、係止体２１の突設部２１ｂが指挟持体４を係止して指挟持体４の起立状態が保持されている状態で、指挟持体４を矢印の如く右側に倒すと、指挟持体４によって係止体２１の突設部２１ｂの先端が上方に持ち上げられ、起立部２１ａが撓んで突設部２１ｂが指挟持体４から外れ、指挟持体４は同図（ｂ）の矢印に示す如く倒れていく。
【図面の簡単な説明】
【００２９】
【図１】（ａ）本考案による筆記用補助具の正面図である。（ｂ）本考案による筆記用補助具の側面である。（ｃ）本考案による筆記用補助具の平面図である。（ｄ）本考案による筆記用補助具の拡大正面図である。
【図２】（ａ）〜（ｃ）本考案による指挟持体及び押圧板を一体で作成した場合の指挟持体及び押圧板の成形方法の説明図である。
【図３】本考案による筆記用補助具の使用状態の説明図である。
【図４】（ａ）〜（ｂ）本考案による押圧板と指挟持体とが筆記具挟持体に対して回転する状態を示す説明図である。
【図５】（ａ）〜（ｄ）本考案による筆記用補助具の指挟持体を起立状態から格納状態に動作させる場合の説明図である。
【図６】（ａ）〜（ｂ）本考案による指挟持体を起立状態に保持自在に係止する係止体と指挟持体の動作説明図である。
【符号の説明】
【００３０】
１  筆記用補助具
２  筆記具
３  筆記具挟持体
４  指挟持体
５  押圧板
６  薄肉部
２１  係止体
【図１】
0003147361.tif 000003
【図２】
0003147361.tif 000004
【図３】
0003147361.tif 000005
【図４】
0003147361.tif 000006
【図５】
0003147361.tif 000007
【図６】
0003147361.tif 000008